(57)【要約】【課題】挿入した電線を動かしたり曲げたりすることに加え、取り付けられた個々の回路遮断器によって電線の差込まれ方が違うことがあることから、速結端子内部の電線は左右に動いていることがあり、電線自体を傷つけて接触が不安定になる恐れがあるため、挿入された電線と座金との安定した接触を得られるものであって、通電時における温度上昇のばらつきの少ない速結端子を少ない部品数で提供する。【解決手段】電線を挿入する電線挿入口が設けられたケースと、このケース内部の電線挿入口の付近に配置される座金と、座金に電線挿入口から挿入された電線を圧接して接続する速結バネとを備えた速結端子において、速結バネは座金に圧接する圧接部と抜けを防ぐ抜け止め部とからなり、座金は部分的に曲げ加工を施して折曲部を設けた。【選択図】図１
2009176676.tif 000002
【特許請求の範囲】
【請求項１】
電線を挿入する電線挿入口が設けられたケースと、該ケース内部の前記電線挿入口の付近に配置される座金と、該座金に前記電線挿入口から挿入された電線を圧接して接続する速結バネとを備えた速結端子において、前記速結バネは前記座金に圧接する圧接部と抜けを防ぐ抜け止め部とからなり、前記座金は部分的に曲げ加工を施して折曲部を設けたことを特徴とする速結端子。
【発明の詳細な説明】
【技術分野】
【０００１】
本発明は、回路遮断器における速結端子に関するものである。
【背景技術】
【０００２】
従来、速結端子には特許文献１に記載されているような、端子内に備えた座金３１と、挿入された電線３５を座金３１に圧接保持する速結バネ３２とを備えた回路遮断器の速結端子において、速結バネ３２には座金３１に電線３５を圧接する圧接部３３と抜けを阻止する抜け止め部３４とを設けた速結端子がある。
【０００３】
しかし、一般的には分電盤における配線作業は、挿入した電線を動かしたり曲げたりすることに加え、取り付けられた個々の回路遮断器によって電線の差込まれ方には違いがあり、速結端子内部の電線は左右に動いていることがあるため、電線自体を傷つけて接触が不安定になってしまう恐れがある。
【０００４】
この改善策として特許文献２に記載されているような、電線挿入孔が設けられた装置本体と、装置本体の電線挿入孔より挿入された電線を、導電性を有する座金４１と速結バネ４２の間に導入して、座金４１と速結４２バネで狭持する速結端子部とを備え、装置本体と速結端子部の少なくとも一方には、速結端子部による電線の狭持方向と電線の挿入方向にそれぞれ略直交する方向において撚線の複数の素線の拡散を防止する拡散防止部が設けられている端子装置を用い、この拡散防止部によって電線の動きを抑制する方法をとることが考えられる。
【特許文献１】特開２００２−３５２８７３
【特許文献２】特開２００７−３２３９３６
【発明の開示】
【発明が解決しようとする課題】
【０００５】
しかしながら、特許文献２に記載の発明では、挿入された電線を、導電性を有する端子板と鎖錠ばねの間に導入して、端子板と鎖錠ばねで狭持する速結端子部とを備え、装置本体と速結端子部の少なくとも一方には、撚線の複数の素線の拡散を防止する拡散防止部が設けられているため、端子板と電線との全体の接触面積を減らす構造にしなければならなくなるという欠点がある。
【０００６】
このため、本発明によって解決しようとする課題は、挿入された電線と座金との安定した接触を得られるものであって、通電時における温度上昇のばらつきの少ない速結端子を提供することにある。
【課題を解決するための手段】
【０００７】
上記した課題を解決するためになされた本発明の速結端子は、電線を挿入する電線挿入口が設けられたケースと、このケース内部の電線挿入口の付近に配置される座金と、座金に電線挿入口から挿入された電線を圧接して接続する速結バネとを備えた速結端子において、速結バネは座金に圧接する圧接部と抜けを防ぐ抜け止め部とからなり、座金は部分的に曲げ加工を施して折曲部を設けたものである。
【発明の効果】
【０００８】
本発明の速結端子によれば、速結端子の座金に曲げ加工を施して設けた折曲部によって電線の動きを抑制することが可能となるため、挿入後に電線を動かしたり曲げたりすることによって電線が傷ついて接触が不安定になってしまう恐れを解消できる。これにより、通電時における温度上昇のばらつきを少なくできる。
【０００９】
又、座金の一部に曲げ加工を施すため、既存の速結端子と同じ部品数で構成可能である。
【００１０】
又、折曲部を設けることによって電線を包み込む構造となり、座金との接触面積を増やすことになる。このため、温度上昇を抑えることができる。
【発明を実施するための最良の形態】
【００１１】
本発明では、電線の動きを抑制する構成を少ない部品数で可能にした。
【実施例１】
【００１２】
以下、本発明の実施の形態を説明する。
電線５を挿入する電線挿入口が設けられたケースと、ケース内部の電線挿入口の付近に配置される座金１と、座金１に電線挿入口から挿入された電線５を圧接して接続する速結バネ２とを備えた速結端子において、速結バネ２は座金１に圧接する圧接部３と抜けを防ぐ抜け止め部４とからなり、座金１の電線挿入口付近の一部を曲げて折曲部６を設けることによって電線５の動きを抑制することが可能となるため、挿入後に電線５を動かしたり曲げたりすることによって電線５が傷ついて接触が不安定になってしまう恐れを解消することができ、座金１と電線５の接触面積が増えるため温度上昇を抑えることができる。
【実施例２】
【００１３】
電線１５を挿入する電線挿入口が設けられたケースと、ケース内部の電線挿入口の付近に配置される座金１１と、座金１１に電線挿入口から挿入された電線１５を圧接して接続する速結バネ１２とを備えた速結端子において、速結バネ１２は座金１１に圧接する圧接部１３と抜けを防ぐ抜け止め部１４とからなり、座金１１の電線挿入口付近の一部を曲げて折曲部１６を設け、この折曲部１６と同辺上の電線挿入方向を曲げて折曲部１６を設けることによって電線１５の動きを抑制することが可能となるため、挿入後に電線１５を動かしたり曲げたりすることによって電線１５が傷ついて接触が不安定になってしまう恐れを解消することができ、座金１１と電線１５の接触面積が増えるため温度上昇を抑えることができる。
【実施例３】
【００１４】
電線２５を挿入する電線挿入口が設けられたケースと、ケース内部の電線挿入口の付近に配置される座金２１と、座金２１に電線挿入口から挿入された電線２５を圧接して接続する速結バネ２２とを備えた速結端子において、速結バネ２２は座金２１に圧接する圧接部２３と抜けを防ぐ抜け止め部２４とからなり、座金２１上面の一辺を曲げて折曲部２６を設けることによって電線２５の動きを抑制することが可能となるため、挿入後に電線２５を動かしたり曲げたりすることによって電線２５が傷ついて接触が不安定になってしまう恐れを解消することができ、座金２１と電線２５の接触面積が増えるため温度上昇を抑えることができる。
【００１５】
以上のように、本発明の速結端子は、座金に部分的な曲げ加工を施して折曲部を設けたことによって、電線の動きを抑制することが可能となるため、挿入後に電線を動かしたり曲げたりすることによって電線が傷ついて接触が不安定になってしまう恐れを解消することができるものである。
【図面の簡単な説明】
【００１６】
【図１】本発明の実施例１における、座金の一部を折曲した速結端子の斜視図である。
【図２】本発明の実施例２における、座金を部分的に折曲した速結端子の斜視図である。
【図３】本発明の実施例３における、座金上面の一辺を折曲した速結端子の斜視図である。
【図４】従来技術における、特許文献１に記載の速欠端子の側面断面図である。
【図５】従来技術における、特許文献２に記載の速結端子の概略断面図である。
【符号の説明】
【００１７】
１、１１、２１、３１、４１    座金
２、１２、２２、３２、４２    速結バネ
３、１３、２３、３３、４３    圧接部
４、１４、２４、３４、４４    抜け止め部
５、１５、２５、３５    電線
６、１６、２６    折曲部
【図１】
2009176676.tif 000003
【図２】
2009176676.tif 000004
【図３】
2009176676.tif 000005
【図４】
2009176676.tif 000006
【図５】
2009176676.tif 000007